(57)【要約】【課題】  監視セキュリティシステム等に用いられる画像記録装置に対し、設置作業性が良好であり、画像入力端子を覆い隠すための専用の部材を廃することで部品点数の削減が図れ、且つ画像記録装置前面の小型化を図ることが可能な構成を提供する。【解決手段】  接続端子７８ａ〜７８ｅを覆い隠すための部材として液晶モニタユニット６を利用し、画像記録装置３の設置状態ではこの液晶モニタユニット６によって接続端子７８ａ〜７８ｅを覆い隠す。また、液晶モニタユニット６を前方側へ回動させて接続端子７８ａ〜７８ｅを装置前方に露出させることにより、装置前面側からの配線接続作業を可能にする。【選択図】      図８
2005153460.tif 000002
【特許請求の範囲】
【請求項１】
画像送信配線を介してカメラに接続される接続端子を備え、カメラによって撮像された画像を画像送信配線を介して受信して記録する画像記録装置において、
機能部品を備えた複数の機能ユニットが一体的に組み合わされて構成されており、一部の機能ユニットは、他の機能ユニットに対して、上記接続端子を覆い隠す姿勢とこの接続端子を装置前面側に露出させる姿勢との間で移動自在となるように構成されていることを特徴とする画像記録装置。
【請求項２】
請求項１記載の画像記録装置において、
操作スイッチを有する第１の機能ユニットと、カメラから受けた画像を映し出すモニタ画面を有する第２の機能ユニットとを備えており、第２の機能ユニットが、第１の機能ユニットに対して、接続端子を覆い隠す姿勢と接続端子を装置前面側に露出させる姿勢との間で移動自在となっていることを特徴とする画像記録装置。
【請求項３】
請求項２記載の画像記録装置において、
第１の機能ユニットは、第２の機能ユニットを格納可能な格納空間を備えており、接続端子はこの格納空間よりも装置背面側に配設されていて、第２の機能ユニットを上記格納空間に格納することでこの第２の機能ユニットが接続端子を覆い隠す姿勢となる一方、第２の機能ユニットを上記格納空間から取り出すことでこの第２の機能ユニットが接続端子を装置前面側に露出させる姿勢となることを特徴とする画像記録装置。
【請求項４】
請求項２または３記載の画像記録装置において、
第２の機能ユニットは第１の機能ユニットにヒンジにより連結されて回動自在となっていることを特徴とする画像記録装置。
【請求項５】
請求項２または３記載の画像記録装置において、
第２の機能ユニットは第１の機能ユニットに対してスライド移動自在となっていることを特徴とする画像記録装置。
【請求項６】
請求項２または３記載の画像記録装置において、
第２の機能ユニットは第１の機能ユニットに対して着脱自在となっていることを特徴とする画像記録装置。
【発明の詳細な説明】
【技術分野】
【０００１】
本発明は、例えばオフィスの監視セキュリティシステム等に用いられ、監視カメラによって撮像された画像を受信して記録する画像記録装置に係る。特に、本発明は、画像記録装置のコンパクト化や設置作業の簡素化を図るための対策に関する。
【背景技術】
【０００２】
従来より、例えば下記の特許文献１及び特許文献２に開示されているように、オフィスや住宅等においては、不法侵入等を監視するための監視セキュリティシステムが使用されている。この監視セキュリティシステムは、一般には、監視対象エリアを撮像する監視カメラ、この監視カメラからの画像（映像）信号を受信して記録（録画）する画像記録装置、この画像記録装置が受信した画像を映し出すモニタ装置等を備えて構成される。また、必要に応じて、不法侵入者を検知するセンサを備えさせ、このセンサの検知信号を受けて監視カメラが撮像を開始するようにしたものもある。
【０００３】
そして、監視カメラによって撮像された監視対象エリアの画像を画像記録装置が受信し、記録媒体に画像（動画または静止画）が記録される。また、監視カメラによって撮像された監視対象エリアの画像は必要に応じてモニタ装置に映し出される。このようにして監視対象エリアの画像をモニタリング及び記録することにより、不法侵入者の特定に役立てることができる。
【０００４】
尚、監視セキュリティシステムがオフィスに適用される場合には、上記画像記録装置及びモニタ装置はオフィスビルの警備室等に設置される。一方、住宅に適用される場合には、画像記録装置及びモニタ装置は住宅内に置かれたり或いは警備会社に設置されることになる。また、これら画像記録装置及びモニタ装置としては、これらが別体として構成されている場合もあれば一体に構成されたものもある。更に、これら画像記録装置及びモニタ装置の設置形態としては壁掛け型や卓上設置型等が知られている。
【特許文献１】特開２００１−２３０６３号公報
【特許文献２】特開平１１−３２８５６０号公報
【発明の開示】
【発明が解決しようとする課題】
【０００５】
ところで、上述した従来の監視セキュリティシステムにあっては、以下に述べる課題があった。
【０００６】
−画像記録装置の設置作業性−
一般に、監視カメラは画像出力端子を、画像記録装置はその背面に画像入力端子をそれぞれ備えており、この両端子を画像ケーブルによって接続することで、監視カメラからの画像信号を画像記録装置が受信できるようにしている。
【０００７】
このため、監視セキュリティシステムの据え付け作業において、画像記録装置の画像入力端子に対するケーブル接続時には、先ず、画像記録装置の背面を作業者側に向け、この状態で画像ケーブルを画像入力端子に接続する。その後、画像記録装置の前面が作業者側に向くように画像記録装置の向きを変え、この前面に備えられたスイッチ類を操作することによって各種の設定（例えば録画モード等の初期設定）を行うといった作業が必要である。
【０００８】
このように、画像記録装置を反転（前面と背面を反転）させながら据え付け作業を行う必要があるため作業が煩雑であった。特に、画像記録装置とモニタ装置とが別体であって、画像記録装置上にモニタ装置を載置した状態で作業を行う必要がある場合や、画像記録装置とモニタ装置とが一体化されている場合には、画像記録装置をモニタ装置と共に反転させる必要があり、重量が大きいために多大な労力を要することになってしまう。
【０００９】
−画像入力端子のカバー−
上記画像入力端子に対する画像ケーブルの接続部分の塵埃による悪影響を防止し、また、この接続部分が外部に露出することによる見映えの悪化を回避するために、専用のカバーを備えさせ、このカバーによって上記画像入力端子を覆い隠すようにしているものがある。つまり、上記映像ケーブルの接続作業時には、このカバーを取り外して画像入力端子を外部に露出させた後、映像ケーブルを接続し、その後、画像入力端子が覆い隠されるようにカバーを装着するものである。
【００１０】
このように、従来では、画像入力端子を覆い隠すための専用の部材（カバー）が必要であり、部品点数の削減を図るには限界があった。
【００１１】
−画像記録装置前面の大型化−
上記設置作業性の悪化は画像入力端子が画像記録装置の背面に設けられていることが原因である。このため、画像入力端子を画像記録装置の前面に設けることが考えられる。これによれば、画像記録装置の背面に対する作業は必要なくなり、画像記録装置を反転させる必要がない。
【００１２】
しかしながら、この構成の場合、画像記録装置の前面に画像入力端子を配設するための新たな領域を確保する必要がある。つまり、背面に画像入力端子を備える画像記録装置では、前面には各種操作スイッチと必要に応じてモニタ画面のみを備えさせればよい。しかし、前面に画像入力端子を配設する場合には、この前面に新たな領域として画像入力端子領域を設ける必要があり、その分だけ画像記録装置前面の大型化を招いてしまうことになる。その結果、この画像記録装置を壁掛け式で設置する場合には、壁に大型の画像記録装置が取り付けられることになって見映えが悪く、一方、画像記録装置を卓上に設置する場合には、この画像記録装置が卓上の大きなスペースを占めてしまうといった不具合を招くことになる。
【００１３】
本発明は、かかる点に鑑みてなされたものであり、その目的とするところは、監視セキュリティシステム等に用いられる画像記録装置に対し、設置作業性が良好であり、画像入力端子を覆い隠すための専用の部材を廃することで部品点数の削減が図れ、且つ画像記録装置前面の小型化を図ることが可能な構成を提供することにある。
【課題を解決するための手段】
【００１４】
−発明の概要−
上記の目的を達成するために講じられた本発明の解決手段は、接続端子（例えば画像入力端子）を覆い隠すための部材として液晶モニタユニット等の機能ユニット（液晶モニタユニットの場合、液晶パネルやモニタ表示回路等の機能部品を収容したユニット）を利用し、画像記録装置設置状態ではこの機能ユニットによって接続端子を覆い隠すことができるようにしている。また、機能ユニットを移動させることで露出する領域に接続端子を配設したことで、画像記録装置の前面側から画像送信配線（ケーブル）の接続作業が行えるようにしている。
【００１５】
−解決手段−
具体的に、本発明は、画像送信配線を介してカメラに接続される接続端子を備え、カメラによって撮像された画像を画像送信配線を介して受信して記録する画像記録装置を前提とする。この画像記録装置に対し、機能部品を備えた複数の機能ユニットを一体的に組み合わせて構成し、一部の機能ユニットを、他の機能ユニットに対して、上記接続端子を覆い隠す姿勢とこの接続端子を装置前面側に露出させる姿勢との間で移動自在とする構成としている。
【００１６】
この特定事項により、先ず、画像記録装置の設置作業における画像送信配線接続作業時には、一部の機能ユニットを移動させて接続端子を装置前面側に露出させる姿勢にする。これにより、画像記録装置の前面側からの接続作業が可能になる。その後、画像記録装置の前面側に備えられたスイッチ類を操作することによって各種の設定作業（例えば録画モード等の初期設定作業）を行うことになる。このように、本解決手段によれば、画像送信配線接続作業を画像記録装置の前面側から行うことができるので、画像記録装置を反転（前面と背面を反転）させながら設置作業を行う必要がなくなり、作業性が良好である。
【００１７】
また、このようにして画像送信配線が接続された後には、一部の機能ユニットを再び移動させて接続端子を覆い隠す姿勢にする。これにより、画像送信配線の接続部分の塵埃による悪影響が回避でき、また、画像記録装置の見映えの向上を図ることができる。このように、本解決手段では、機能ユニットが接続端子を覆い隠すための部材としての機能を兼用しているため、専用のカバーは必要なくなり、装置全体としての部品点数の削減を図ることができる。
【００１８】
また、接続端子は、機能ユニットによって覆い隠される位置、例えば、画像記録装置設置状態における機能ユニットの背面側位置に配設されることになり、画像記録装置の前面側に設ける必要がない。言い換えると、画像記録装置の前面側からの配線接続作業を可能にしながらも、画像記録装置の前面側に接続端子を設ける必要がない構成となっている。このため、画像記録装置前面の大型化を招くことがなく、その結果、設置スペースのコンパクト化を図りながらも、上述した効果（配線接続作業を装置前面側から可能にしたこと、部品点数の削減が図れること）を奏することができる。
【００１９】
画像記録装置の構成として、より具体的には以下のものが掲げられる。先ず、操作スイッチを有する第１の機能ユニットと、カメラから受けた画像を映し出すモニタ画面を有する第２の機能ユニットとを備えさせる。そして、第２の機能ユニットが、第１の機能ユニットに対して、接続端子を覆い隠す姿勢と接続端子を装置前面側に露出させる姿勢との間で移動自在となる構成としている。
【００２０】
この場合、第１の機能ユニットに、第２の機能ユニットを格納可能な格納空間を備えさせ、接続端子をこの格納空間よりも装置背面側に配設する。そして、第２の機能ユニットを上記格納空間に収容することでこの第２の機能ユニットが接続端子を覆い隠す姿勢となる一方、第２の機能ユニットを上記格納空間から取り出すことでこの第２の機能ユニットが接続端子を装置前面側に露出させる姿勢となる構成としている。
【００２１】
これら特定事項により、モニタ画面を有する第２の機能ユニットを移動させることで、配線接続時には接続端子を装置前面側に露出させる一方、その後の装置設置状態では接続端子を第２の機能ユニットによって覆い隠すことができる。また、モニタ画面を有する第２の機能ユニットが移動可能であるということは、ユーザの要求に応じてモニタ画面を自由に移動できることである。つまり、ユーザが視認し易い姿勢となるようにモニタ画面を移動させることができることになる。このため、視認性が高く使い勝手の良好な画像記録装置が得られる。
【００２２】
第２の機能ユニットの第１の機能ユニットに対する移動形態としては以下のものが掲げられる。先ず、第２の機能ユニットが第１の機能ユニットにヒンジにより連結されて回動自在となった構成である。また、第２の機能ユニットが第１の機能ユニットに対してスライド移動自在となった構成である。更には、第２の機能ユニットが第１の機能ユニットに対して着脱自在となった構成である。
【００２３】
特に、第２の機能ユニットを回動自在とした構成によれば、例えば画像記録装置を卓上型で使用する際に第２の機能ユニットの回動角度を調整し、これによってユーザが視認し易い姿勢となるようにモニタ画面の傾斜角度を調整することができて、実用性に優れたものとなる。
【発明の効果】
【００２４】
本発明では、接続端子を覆い隠すための部材として液晶モニタユニット等の機能ユニットを利用し、また、この機能ユニットを移動させることで接続端子を画像記録装置の前面側に露出させることを可能にしている。このため、配線接続作業を画像記録装置の前面側から行うことができ、画像記録装置を反転（前面と背面を反転）させながら設置作業を行う必要がなくなり、作業性が良好になる。また、機能ユニットが接続端子を覆い隠すための部材としての機能を兼用していることになるため、専用のカバーは必要なくなり、装置全体としての部品点数の削減を図ることができる。更に、画像記録装置設置状態における機能ユニットの背面側位置に接続端子を配設しながらも配線接続作業を装置前面側から行えるため、接続端子を画像記録装置の前面側に設ける必要がなく、画像記録装置前面の小型化を図ることが可能であり、設置スペースのコンパクト化を図ることができる。
【発明を実施するための最良の形態】
【００２５】
以下、本発明の実施の形態を図面に基づいて説明する。本実施形態では、本発明に係る画像記録装置をオフィスの監視セキュリティシステムに適用した場合について説明する。
【００２６】
−監視セキュリティシステム構成−
画像記録装置の構成について説明する前に、本画像記録装置を使用した監視セキュリティシステム全体の構成について説明する。
【００２７】
図１は、この監視セキュリティシステムの概略構成を示すブロック図である。この図１に示すように、本監視セキュリティシステムは、監視対象エリアであるオフィス内空間における不法侵入者を検知するセンサ１、このセンサ１が人体（不法侵入者）を検知したときにオフィス内空間の撮像を開始する監視カメラ２、オフィスビルの警備室に設置され監視カメラ２からの画像信号を受信して記録する上記画像記録装置３、同じくオフィスビルの警備室に設置されて画像記録装置３との間で相互通信を行うセキュリティコントローラ４を備えている。
【００２８】
つまり、オフィス内空間に不法侵入者が存在する場合、そのことをセンサ１が検知し、このセンサ１が検知信号を発報する。この検知信号の発報に伴い、監視カメラ２はオフィス内空間の撮像を開始する。この撮像された画像は画像記録装置３に順次送信され、この画像記録装置３に備えられた記録媒体（ハードディスク）に記録（録画）されていく。また、この撮像された画像は画像記録装置３に備えられた液晶モニタ（モニタ画面）３１に表示される。このようにオフィス内空間の画像がモニタリング及び記録されることにより、不法侵入者の特定に役立てることが可能になっている。
【００２９】
尚、画像記録装置３とセキュリティコントローラ４との間では画像信号や各種制御信号の相互通信が行われるようになっており、画像記録装置３の記録媒体に記録された画像をセキュリティコントローラ４内に保管したり、センサ１からの検知信号を画像記録装置３を介してセキュリティコントローラ４が受け、所定の警告動作（警告音の発生や警告ランプの点灯）が行えるようになっている。また、セキュリティコントローラ４から画像記録装置３へ制御信号が送信されて、録画モード等の各種設定やカメラ撮像動作（パン、チルト、ズーム等）の制御が行えるようになっている。
【００３０】
−画像記録装置３の構成説明−
次に、画像記録装置３の構成について説明する。ここでは、画像記録装置３を壁掛け式で設置した場合について説明する。尚、本画像記録装置３は卓上式で設置することも可能である。この卓上式で設置された状態については後述する。
【００３１】
図２は画像記録装置３の正面図、図３は画像記録装置３の平面図、図４は画像記録装置３の底面図、図５は画像記録装置３の右側面図、図６は画像記録装置３の左側面図、図７は画像記録装置３の壁掛け式設置状態を示す斜視図、図８はこの壁掛け式設置状態において後述する液晶モニタユニット６を前面側に回動させた状態を示す斜視図である。
【００３２】
これら図に示すように、本画像記録装置３は、正面視が略正方形状の偏平箱形の装置であり、第１の機能ユニットとしての装置本体ユニット５と、この装置本体ユニット５に対して回動自在に連結された第２の機能ユニットとしての液晶モニタユニット６とを備えている。以下、各ユニット５，６について詳細に説明する。
【００３３】
（装置本体ユニット５）
装置本体ユニット５は、背面側ケーシング５１と前面側ケーシング５２とが一体的に組み合わされ、その内部に各種制御機器類が収容されて構成されている。
【００３４】
上記背面側ケーシング５１は、前面側ケーシング５２が取り付けられる側が開放された断面略コ字状の樹脂製部材であって、図８に示すように、設置状態における上側略半分で且つ右側略半分の領域は大型の開口５１ａが形成されている。この開口５１ａは後述する各種ケーブル類を本画像記録装置３から壁面内に向けて抜き出すための開口となる。
【００３５】
一方、前面側ケーシング５２は、下側略半分の表面に各種スイッチ類７１〜７５が設けられている一方、上側略半分は上記背面側ケーシング５１の外縁に沿う形状の枠体５２ａが備えられている。尚、この枠体５２ａの下端部の形状は、下側に向かうに従って装置前面側に傾斜する傾斜面５３を備えており、この枠体５２ａの前側の空間が後述する液晶モニタユニット６を格納状態（図７に示す状態）とする際の格納空間５４として構成されている。
【００３６】
上記背面側ケーシング５１の略下側半分と前面側ケーシング５２の略下側半分との間で形成される空間には、本画像記録装置３を統括的に制御するための制御部３Ａとしてのプリント配線基板や、受信した画像を記録するための記録部３Ｂとしてのハードディスクや、前面側ケーシング５２の前面に配設された各種スイッチ類７１〜７５が操作された際にその操作信号をプリント配線基板に与える操作部３Ｃが収容されている（図１参照）。尚、これらケーシング内部空間に収容されている機器の操作及び調整は、前面側ケーシング５２の図中左下部分に配設されているカバー５２ｂを取り外してケーシング内部空間を外部に開放させることにより行うことができるようになっている。
【００３７】
また、上記背面側ケーシング５１の外縁に沿う形状の枠体５２ａには、複数箇所にＵ字状の切り欠きで成る開放部５２ｃ，５２ｃ，…が形成されており、これら開放部５２ｃ，５２ｃ，…には、封止栓５２ｄ，５２ｄ，…がそれぞれ着脱自在に装着されている。つまり、この封止栓５２ｄを取り外して開放部５２ｃを開放させることにより、各種ケーブル類を本画像記録装置３から壁面に沿って抜き出すことができるようにしている。つまり、本画像記録装置３が取り付けられる壁面にケーブル抜き出し用の開口が形成されている場合には上記背面側ケーシング５１の開口５１ａを利用し、壁面に開口が形成されていない場合には上記前面側ケーシング５２の開放部５２ｃを利用するようになっている。
【００３８】
次に、この前面側ケーシング５２の下側略半分の表面に配設された各種スイッチ類について図２及び図７を用いて説明する。
【００３９】
先ず、前面側ケーシング５２の表面の左側半分には５個のチャンネルスイッチ７１ａ〜７１ｅが左右方向に一列上に配設されている。具体的に、本画像記録装置３は監視カメラ２を４台まで接続することが可能であり、これら４台のカメラが撮像した画像のうち何れのカメラの画像を液晶モニタ３１に表示するかを、これらチャンネルスイッチ７１ａ〜７１ｅの操作によって選択できるようになっている。つまり、図２の左側から第１チャンネルスイッチ７１ａ、第２チャンネルスイッチ７１ｂ、第３チャンネルスイッチ７１ｃ、第４チャンネルスイッチ７１ｄの４個のチャンネルスイッチが配設されている。また、第４チャンネルスイッチ７１ｄの右側のスイッチはマルチ表示スイッチ７１ｅであり、このスイッチ７１ｅを操作することにより、液晶モニタ３１の画面を４分割して４台全てのカメラの画像を液晶モニタ３１に表示することができるようになっている。尚、第１〜第４のチャンネルスイッチ７１ａ〜７１ｄの上側には、液晶モニタ３１に現在表示されているチャンネルを表示するための表示ランプ７２，７２，…が備えられている。
【００４０】
前面側ケーシング５２の表面の右側半分には、画像操作系、カメラ操作系、画像コピー系の各スイッチが配設されている。
【００４１】
画像操作系のスイッチとしては、録画開始スイッチ７３ａ、再生／一時停止スイッチ７３ｂ、停止スイッチ７３ｃ、ジョグダイヤル７３ｄが備えられている。録画開始スイッチ７３ａは、押し込み操作することによって監視カメラ２からの画像のハードディスクへの記録を開始させるものであり、例えば、録画モードの設定に応じて、録画開始スイッチ７３ａの押し込み後に直ちに記録（録画）を開始するようにしたり、この録画開始スイッチ７３ａの押し込み後にセンサ１が不法侵入者を検知した時点から記録を開始するようにしたりできる。再生／一時停止スイッチ７３ｂは、ハードディスクに記録された画像の再生を開始させたり、この画像の再生中に画面を一時停止（静止画表示）する際に操作するものである。尚、オフィスの監視中は、画像の再生中であっても、監視カメラ２からの画像はハードディスクに記録され続けるようになっている。停止スイッチ７３ｃは、上記録画動作や再生動作を終了させる際に操作するものである。ジョグダイヤル７３ｄは、ハードディスクに記録された画像の再生時に画面の早送り、巻き戻し、コマ送り、コマ戻し等を操作するものである。
【００４２】
カメラ操作系のスイッチとしては、８方向スイッチ７４ａが備えられている。この８方向スイッチ７４ａは、監視カメラ２のパン、チルトをマニュアル調整するためのものである。
【００４３】
また、この８方向スイッチ７４ａ左下には画像検索（記録されている画像中からの特定画像の検索）を行う際に操作する検索スイッチ７４ｂが、右下はこの検索により抽出した画像を決定するための決定スイッチ７４ｃがそれぞれ設けられている。
【００４４】
画像コピー系のスイッチとしては、上記決定スイッチ７４ｃによって決定された画像（静止画像）をＳＤカード等の記録媒体にコピーするためのコピースイッチ７５ａを備えている。また、このコピースイッチ７５ａの下側には記録媒体（ＳＤカード）用のスロット７５ｂが設けられている。
【００４５】
尚、上記チャンネルスイッチ７１ａ〜７１ｅの下側には、現在の画像記録装置３の動作状態を示すための表示ランプが備えられている。具体的には、図中左側から、電源ＯＮ状体で点灯する電源ランプ７６ａ、セキュリティコントローラ４との通信時に点灯する通信ランプ７６ｂ、ハードディスクへの書き込み時に点灯するディスクランプ７６ｃ、アラーム発生時に点灯するアラームメモリランプ７６ｄ、異常発生時に点灯する異常ランプ７６ｅとなっている。また、上記録画開始スイッチ７３ａの上側には録画中に点灯する録画ランプ７６ｆが備えられている。
【００４６】
また、この前面側ケーシング５２の表面形状の特徴としては、その表面が凸面で形成されている点と、同一系統のスイッチを同一凹部内に配置している点にある。以下、詳細に説明する。
【００４７】
先ず、前面側ケーシング５２の表面は、上記チャンネルスイッチ７１ａ〜７１ｅの配設箇所からジョグダイヤル７３ｄ、再生／一時停止スイッチ７３ｂ、録画開始スイッチ７３ａの各スイッチの配設箇所に亘る左右方向の一直線上の領域が最も膨出するように（図２の手前側に張り出すように）湾曲面で形成されている。つまり、操作頻度の高い各種スイッチが最も手前側に張り出した位置に配設されるようになっている。
【００４８】
また、前面側ケーシング５２の表面には第１〜第６の６箇所に凹部７７ａ〜７７ｆが形成されている。第１凹部７７ａは、チャンネルスイッチ７１ａ〜７１ｅの配設箇所及びその周縁部に形成された図中左右方向に延びる凹部である。第２凹部７７ｂは、録画開始スイッチ７３ａ、再生／一時停止スイッチ７３ｂ、ジョグダイヤル７３ｄの配設箇所及びその周縁部に形成された凹部である。第３凹部７７ｃは、停止スイッチ７３ｃの配設箇所及びその周縁部に形成された凹部である。第４凹部７７ｄは、８方向スイッチ７４ａ、検索スイッチ７４ｂ、決定スイッチ７４ｃの配設箇所及びその周縁部に形成された凹部である。第５凹部７７ｅは、コピースイッチ７５ａの配設箇所からＳＤカード用のスロット７５ｂに亘って形成された凹部である。第６凹部７７ｆは、電源ランプ７６ａ、通信ランプ７６ｂ、ディスクランプ７６ｃ、アラームメモリランプ７６ｄ、異常ランプ７６ｅの配設箇所及びその周縁部に形成された図中左右方向に延びる凹部である。
【００４９】
次に、この前面側ケーシング５２の上側略半分（図８の如く液晶モニタユニット６が前方へ回動された際に開放される領域）に備えられた配線接続部７８について図８を用いて説明する。この配線接続部７８には、監視カメラ２からの画像信号を受ける複数（本形態では４個）の画像入力端子７８ａ，７８ａ，…、センサ１からの信号を受けるセンサ信号入力端子７８ｂ，７８ｂ，…、監視カメラ２への制御信号を送信するカメラ制御端子７８ｃ，７８ｃ，…、セキュリティコントローラ４との間で信号の送受信を行うコントロール端子７８ｄ，７８ｄ，…、セキュリティコントローラ４や図示しないモニタ装置に画像を送信するための画像出力端子７８ｅ，７８ｅが備えられている。
【００５０】
上述した各端子７８ａ〜７８ｅのうち、画像入力端子７８ａ及び画像出力端子７８ｅは、前面側ケーシング５２の右側部分であって、上記開口５１ａに臨む面（壁面に対して直交する面）に配設されている。また、これら画像入力端子７８ａ，７８ａ，…及び画像出力端子７８ｅ，７８ｅの配設位置は、上記前面側ケーシング５２に備えられた開放部５２ｃの形成位置に対向するように設定されている。一方、センサ信号入力端子７８ｂ、カメラ制御端子７８ｃ、コントロール端子７８ｄは、前面側ケーシング５２の左側部分に配設されている。
【００５１】
次に、装置本体ユニット５に対して回動自在に連結された液晶モニタユニット６について説明する。この液晶モニタユニット６は、図８に示すように、ヒンジ部材６１，６１を介して装置本体ユニット５に連結されており、図７に示すように上記各端子７８ａ〜７８ｅが配設された配線接続部７８を覆い隠す姿勢と、図８に示すように配線接続部７８を開放して各端子７８ａ〜７８ｅを外部（装置前面側）に露出させる姿勢との間で回動自在となっている。つまり、上記配線接続部７８を開放させる姿勢になることで、各端子７８ａ〜７８ｅに対するケーブル（配線）の装置前面側からの接続作業が行えるようになっている。
【００５２】
尚、上記ヒンジ部材６１，６１は、装置本体ユニット５内に収容された図示しないゴム材に摺接するようになっており、これによってヒンジ部材６１，６１の移動には抵抗が作用するようになっている。つまり、液晶モニタユニット６を回動させる際、この抵抗により任意の位置でその液晶モニタユニット６の回動姿勢を維持できるようになっている。
【００５３】
一方、この液晶モニタユニット６の前面の図中左寄りには液晶モニタ３１が配設されている。この液晶モニタ３１は、監視カメラ２から送信された画像を映し出すものであり、複数台の監視カメラ２が接続されている場合には、上記チャンネルスイッチ７１ａ〜７１ｅによって選択された監視カメラ２の画像が映し出されるようになっている。また、この液晶モニタユニット６の右側面には液晶モニタ３１の表示制御部６２が設けられている。この表示制御部６２としてはＯＮ／ＯＦＦスイッチ６２ａ、画面の明るさを調整するブライトネスダイヤル６２ｂ、画面の色合いを調整するカラーダイヤル６２ｃが備えられている。更に、この液晶モニタユニット６の前面における右下部分には第３の画像出力端子６３が設けられている。
【００５４】
−画像記録装置３の据え付け作業−
次に、上述の如く構成された画像記録装置３をオフィスビルの警備室の壁面に据え付ける際の作業について説明する。
【００５５】
先ず、壁面に形成された図示しない配線抜き出し孔に対応した位置に本画像記録装置３を固定する。具体的には、画像記録装置３の背面に取付金具を装着しておき、この取付金具を壁面の所定位置にネジ止め等の手段により固定する。これにより、背面側ケーシング５１の開口５１ａが上記配線抜き出し孔に対向した状態で、画像記録装置３が壁面に取り付けられる。
【００５６】
次に、図５の仮想線及び図８に示すように、液晶モニタユニット６を装置本体ユニット５に対して前面側に回動させ、各端子７８ａ〜７８ｅが配設された配線接続部７８を開放する。この時の液晶モニタユニット６の回動角度は、図７に示す状態から前方側へ１００°程度であり、配線接続部７８は大きく開放されて各端子７８ａ〜７８ｅが外部に露出した状態となる。この状態で各種配線の接続作業が画像記録装置３の前面側から行われる。具体的には、画像入力端子７８ａに対して監視カメラ２から延びる画像ケーブル（画像送信配線）を接続し、センサ信号入力端子７８ｂに対してセンサ１から延びるセンサ信号線を接続する。また、カメラ制御端子７８ｃに対して監視カメラ２から延びる制御信号線を接続し、コントロール端子７８ｄに対してセキュリティコントローラ４から延びる信号線を接続する。これら各配線は何れも壁面に形成された配線抜き出し孔から抜き出され、背面側ケーシング５１の開口５１ａを通って各端子に接続される。尚、壁面に配線抜き出し孔が形成されていない場合には、各配線を壁面に沿って配設することになるが、この場合には、上記枠体５２ａに形成された開放部５２ｃを利用して各配線を画像記録装置３から壁面に沿って抜き出す。
【００５７】
このようにして各配線が接続されるため、液晶モニタユニット６によって配線接続部７８を覆い隠した状態では、これら配線が外部から見えることがない（図７参照）。尚、警備室に大型のモニタ装置が設置してある場合には、このモニタ装置と画像出力端子７８ｅとを画像ケーブルによって接続することにより、この大型のモニタ装置によって監視を行うことも可能になる。
【００５８】
以上の如く各種配線の接続作業が終了すると、図７に示すように、液晶モニタユニット６を壁面側に向けて回動させ、この液晶モニタユニット６によって配線接続部７８を覆い隠した状態にする。つまり、液晶モニタユニット６を上記配線接続部７８の前側に形成された格納空間５４に格納して図７に示す状態にする。このとき、液晶モニタユニット６の上端部に設けられた係止フック６Ａ（図８参照）が装置本体ユニット５の上端部に設けられた係止部５Ａに係止され、液晶モニタユニット６は配線接続部７８を覆い隠した状態に保持される。これにより、配線の接続部分の塵埃による悪影響が回避でき、また、画像記録装置３の見映えの向上を図ることができる。その後、各スイッチ類の操作によって各種の設定作業（例えば録画モード等の初期設定作業）が行われて、画像記録装置３の据え付け作業が完了する。
【００５９】
以上説明してきたように、本形態では、配線接続作業を画像記録装置３の前面側から行うことができるので、画像記録装置を反転（前面と背面を反転）させながら設置作業を行う必要がなくなり、作業性が良好である。
【００６０】
また、据え付け後には液晶モニタユニット６によって配線接続部７８が覆い隠される。つまり、液晶モニタユニット６が端子７８ａ〜７８ｅを覆い隠すための部材としての機能を兼用しているため、専用のカバーは必要なくなり、装置全体としての部品点数の削減を図ることができる。
【００６１】
更に、各端子７８ａ〜７８ｅは、液晶モニタユニット６の背面側位置に配設されており、画像記録装置３の前面側に設けてはいない。言い換えると、画像記録装置３の前面側からの配線接続作業を可能にしながらも、画像記録装置３の前面側に各端子７８ａ〜７８ｅを設ける必要がない構成となっている。このため、画像記録装置３の前面の大型化を招くことがなく、設置スペースのコンパクト化を図ることができる。
【００６２】
また、上述した如く、壁面に形成された配線抜き出し孔から各配線を抜き出して開口５１ａを通って各端子に接続するようにした場合には、配線が外部から見えることがないので、ユーザが誤って配線に接触してしまって端子から配線が抜け落ちてしまうことが防止できる。
【００６３】
また、本実施形態に係る画像記録装置３では、液晶モニタ３１を液晶モニタユニット６の前面の左寄りに配設しているのに対し、操作頻度の高いスイッチである録画開始スイッチ７３ａ、再生／一時停止スイッチ７３ｂ、ジョグダイヤル７３ｄ等を装置本体ユニット５の前面の右寄りに配設している。このため、ユーザが、これらスイッチを操作しながら液晶モニタ３１を確認する場合、操作する手が液晶モニタ３１の視認の邪魔になってしまうことがなく、操作性の良好な画像記録装置３を提供することが可能である。
【００６４】
−卓上設置状態−
図９は、本実施形態に係る画像記録装置３の卓上設置状態を示す斜視図である。この図９に示すように、卓上設置の場合には、ユーザの視線が液晶モニタ３１の画面と略直交するように、液晶モニタユニット６をチルトアップさせ（例えば４５°だけ上方へ回動させ）、ユーザが視認し易い姿勢にする。このように液晶モニタユニット６をチルトアップした姿勢で維持させることにより、画像記録装置３の使い勝手の向上を図ることが可能になる。
【００６５】
尚、このように画像記録装置３を卓上設置して液晶モニタユニット６をチルトアップさせた場合、配線接続部７８が僅かに開放されることになる。つまり、この配線接続部７８に塵埃が入り込んだり、見映えが悪化したりする。このため、この配線接続部７８を覆い隠すためのカバー（例えば、この配線接続部７８の上面形状に略一致した形状の樹脂製板）を用意しておき、このカバーによって配線接続部７８を覆っておくことが好ましい。
【００６６】
また、このカバーは、図７に示す壁掛け式設置状態においても適用しておくことが好ましい。何故なら、液晶モニタユニット６によって配線接続部７８を完全に封止できない可能性があり、この場合には配線接続部７８に塵埃が入り込む可能性があるからである。つまり、壁掛け式設置状態においても上記カバーを装着して配線接続部７８を完全に封止できるようにしておくことが好ましい。
【００６７】
−その他の実施例−
以上説明した実施形態では、装置本体ユニット５に対して液晶モニタユニット６をヒンジ連結し、この液晶モニタユニット６を回動させることによって、各端子７８ａ〜７８ｅを覆い隠す姿勢と外部に露出させる姿勢との間で移動させるようにした。本発明はこれに限らず、装置本体ユニット５に対して液晶モニタユニット６をスライド移動自在としたり、着脱自在とすることによって、各端子７８ａ〜７８ｅを覆い隠す姿勢と外部に露出させる姿勢との間で移動させるようにしてもよい。
【００６８】
液晶モニタユニット６をスライド移動自在とする場合、そのスライド方向としては図７に示す状態から上方へのスライド移動、左右方向へのスライド移動、前方へのスライド移動の何れであっても、各端子７８ａ〜７８ｅを外部に露出させることが可能である。具体的には、装置本体ユニット５にスライドレールを備えさせておく一方、液晶モニタユニット６にこのスライドレールに噛み合うスライダを備えさせ、このスライダをスライドレールに沿って移動させることにより液晶モニタユニット６をスライド移動自在にする。
【００６９】
また、液晶モニタユニット６を着脱自在とする場合、液晶モニタユニット６と装置本体ユニット５との間での通信は有線で行ってもよいし無線で行ってもよい。この着脱構造としては、装置本体ユニット５及び液晶モニタユニット６に互いに連結する連結具をそれぞれ備えさせておき、この連結具の連結状態及び連結解除状態を切り換えることで液晶モニタユニット６を着脱自在にする。
【００７０】
また、液晶モニタユニット６を回動させる場合の回動中心としては、上述したような液晶モニタユニット６の下端縁である必要はなく、上端縁や左右何れかの側端縁を回動中心として回動させるようにしてもよい。
【００７１】
また、上記実施形態では、センサ１が人体（不法侵入者）を検知したときに監視カメラ２が撮像を開始するようにしたが、センサ１を備えさせることなく、監視カメラ２が撮像を常時行うようにしてもよい。この場合、録画開始スイッチ７３ａが押し込み操作されると直ちに画像記録動作が開始されることになる。
【００７２】
また、上記実施形態では、本発明に係る画像記録装置３をオフィスの監視セキュリティシステムに適用した場合について説明したが、住宅用の監視セキュリティシステムに適用することも可能である。この場合、画像記録装置３は、住宅内に置かれたり或いは警備会社に設置されることになる。
【００７３】
更に、本画像記録装置３に接続される監視カメラ２の台数は４台に限らず、画像入力端子７８ａの個数を増加させることにより５台以上の監視カメラ２を接続することも可能である。
【図面の簡単な説明】
【００７４】
【図１】実施形態に係る監視セキュリティシステムの概略構成を示すブロック図である。
【図２】画像記録装置の正面図である。
【図３】画像記録装置の平面図である。
【図４】画像記録装置の底面図である。
【図５】画像記録装置の右側面図である。
【図６】画像記録装置の左側面図である。
【図７】画像記録装置の壁掛け設置状態を示す斜視図である。
【図８】液晶モニタユニットを前面側に回動させた状態の画像記録装置を示す斜視図である。
【図９】画像記録装置の卓上設置状態を示す斜視図である。
【符号の説明】
【００７５】
２        監視カメラ
３        画像記録装置
３１      液晶モニタ（モニタ画面）
５        装置本体ユニット（第１の機能ユニット）
６        液晶モニタユニット（第２の機能ユニット）
６１      ヒンジ部材
７１ａ〜７１ｅ  チャンネルスイッチ
７３ａ    録画開始スイッチ
７３ｂ    再生／一時停止スイッチ
７３ｃ    停止スイッチ
７３ｄ    ジョグダイヤル
７４ａ    ８方向スイッチ
７４ｂ    検索スイッチ
７４ｃ    決定スイッチ
７５ａ    コピースイッチ
７８ａ    画像入力端子
７８ｂ    センサ信号入力端子
７８ｃ    カメラ制御端子
７８ｄ    コントロール端子
７８ｅ    画像出力端子
【図１】
2005153460.tif 000003
【図２】
2005153460.tif 000004
【図３】
2005153460.tif 000005
【図４】
2005153460.tif 000006
【図５】
2005153460.tif 000007
【図６】
2005153460.tif 000008
【図７】
2005153460.tif 000009
【図８】
2005153460.tif 000010
【図９】
2005153460.tif 000011